(57)【要約】【課題】フィット感に優れ、しかも冷却効果が調整されうる枕１０の提供。【解決手段】枕１０は、本体１２と保冷体１４とを備えている。本体１２は、ウレタンフォームからなる。本体１２は、窪み１６を備えている。この窪み１６に、保冷体１４が嵌め込まれている。保冷体は、袋とこの袋に封入された冷却性組成物とからなる。冷却性組成物は、ゲル状物質と潜熱蓄熱材とを含む。この枕１０は、前凸部２２及び後凸部２４からなる。前凸部２２の輪郭形状は、後凸部２４の輪郭形状と、中心線ＣＬに対して対称である。保冷体１４は、中心線ＣＬを跨いでいる。保冷体１４は、前側に偏在している。着用者は、前凸部２２に頭部を載せて枕１０を使用する。使用者は、後凸部２４に頭部を載せて、枕１０を使用することもできる。【選択図】図４
2008073306.tif 000002
【特許請求の範囲】
【請求項１】
窪みを備えた本体と、この窪みに嵌め込まれる保冷体とを備えており、
全体としての形状が、いずれも幅方向に延在する前凸部及び後凸部からなり、
前後方向断面において、前凸部の輪郭形状が後凸部の輪郭形状と実質的に対称であり、
上記保冷体が前側に偏在している枕。
【請求項２】
上記前凸部の高さと後凸部の高さとの差の絶対値が１５ｍｍ以下である請求項１に記載の枕。
【請求項３】
上記保冷体が前凸部及び後凸部に跨って存在しており、前凸部における保冷体の長さに対する、後凸部における保冷体の長さの比率が０％以上７０％以下である請求項１又は２に記載の枕。
【請求項４】
上記本体が気泡を含むポリマー成形体からなり、上記保冷体がゲル状物質と蓄熱材とを含んでいる請求項１から３に記載の枕。
【発明の詳細な説明】
【技術分野】
【０００１】
本発明は、枕に関する。詳細には、冷却機能を有する枕に関する。
【背景技術】
【０００２】
頭部の冷却により副交感神経の働きが促され、心身がリラックスする。このリラックスにより、眠気が誘発される。頭部の冷却により、速やかな入眠が達成される。頭部を冷却するための枕が、特開平７−１７７９５６号公報に開示されている。特開２００５−２５５７２６公報には、枕に適した保冷材が開示されている。
【０００３】
特開２００６−５１３３５公報には、頸部及び後頭部の湾曲に沿った形状を有する枕が開示されている。図１２には、この枕２の断面が示されている。この枕２は、本体４と保冷体６とからなる。使用者８は、この枕２の前端Ｆｅに頸部を当てて眠る。枕２の輪郭形状は、湾曲している。枕２は、頸部及び後頭部に沿っている。この枕２は、使用者８にフィット感を与える。肩、頸部及び後頭部は、保冷体６によって冷却される。
【特許文献１】特開平７−１７７９５６号公報
【特許文献２】特開２００５−２５５７２６公報
【特許文献３】特開２００６−５１３３５公報
【発明の開示】
【発明が解決しようとする課題】
【０００４】
図１２に示された状態では、頸部及び後頭部が保冷体６に当接している。従って、冷却効果は高い。高い冷却効果により、入眠が促される。一方、過剰な冷却を好まない使用者８もいる。頸部及び肩が保冷体６に当接することを不快に思う使用者８もいる。さらに、肩及び頸部が冷却されることで、身体に悪影響を受ける使用者８もいる。
【０００５】
図１３に示されるように、後端Ｂｅが頸部に当たるように枕２が使用されれば、保冷体６には、後頭部のみが当接し肩及び頸部は当接しない。図１３に示された使用方法では、肩及び頸部は過剰には冷却されない。枕２の方向を変更することで、使用者８は冷却効果を調整することができる。しかし、図１３から明らかなように、枕２は頸部及び後頭部の湾曲に沿わない。図１３に示された使用方法では、フィット感は得られない。
【０００６】
本発明の目的は、フィット感に優れ、しかも冷却効果が調整されうる枕の提供にある。
【課題を解決するための手段】
【０００７】
本発明に係る枕は、窪みを備えた本体と、この窪みに嵌め込まれる保冷体とを備える。この枕の、全体としての形状は、いずれも幅方向に延在する前凸部及び後凸部からなる。前後方向断面において、前凸部の輪郭形状は、後凸部の輪郭形状と実質的に対称である。保冷体は、前側に偏在している。
【０００８】
好ましくは、前凸部の高さと後凸部の高さとの差の絶対値は、１５ｍｍ以下である。好ましくは、保冷体は、前凸部及び後凸部に跨って存在する。前凸部における保冷体の長さに対する、後凸部における保冷体の長さの比率は、０％以上７０％以下である。好ましくは、本体は気泡を含むポリマー成形体からなり、保冷体はゲル状物質と蓄熱材とを含む。
【発明の効果】
【０００９】
この枕では、保冷体が前側に偏在しているので、使用者がこの枕の向きを変えて使用することにより、冷却効果が調整されうる。この枕では、前凸部の輪郭形状が後凸部の輪郭形状と実質的に対称なので、枕の向きにかかわらず、使用者はフィット感を得ることができる。
【発明を実施するための最良の形態】
【００１０】
以下、適宜図面が参照されつつ、好ましい実施形態に基づいて本発明が詳細に説明される。
【００１１】
図１は本発明の一実施形態に係る枕１０が示された斜視図であり、図２はその正面図であり、図３は図２のIII−III線に沿った断面図であり、図４は図２のIV−IV線に沿った断面図である。図２において、Ｘ方向は前後方向であり、Ｙ方向は幅方向である。図２のIV−IV線は、幅方向中心を通過している。この枕１０は、本体１２と保冷体１４とを備えている。本体１２は、幅方向中心に、窪み１６を備えている。この窪み１６に、保冷体１４が嵌め込まれている。保冷体１４は、冷蔵庫等で予め冷却される。
【００１２】
本体１２は、可撓性及び復元性を備えている。本体１２はさらに、頭部を支持できる硬さを備えている。本体１２は、気泡を含むポリマー成形体からなる。本体１２の基材ポリマーには、ゴム又は合成樹脂材料が用いられうる。ゴムとしては、天然ゴム、ポリイソプレン、ポリブタジエン、スチレン−ブタジエン共重合体及びアクリロニトリル−ブタジエン共重合体が例示される。合成樹脂材料としては、ポリウレタン、ポリエステル、ポリアミド、ポリオレフィン、ポリスチレン、ポリ塩化ビニル及びシリコーンが例示される。典型的には、本体１２は、低反発性のポリウレタンフォームからなる。
【００１３】
図５は、図１の枕１０の保冷体１４が示された拡大断面図である。この保冷体１４は、冷却性組成物１８、フィルム２０及びベース２１からなる。フィルム２０及びベース２１により、袋が形成されている。この袋に、組成物１８が封入されている。
【００１４】
冷却性組成物１８の主成分は、ゲル状物質である。ゲル状物質としては、分散媒が水であるヒドロゲル及び分散媒がオイルであるリポゲルが挙げられる。低温で粘性を有するとの観点から、リポゲルが好ましい。ゲル状物質の基材ポリマーとしては、ポリウレタン、ポリオレフィン、ポリスチレン、シリコーン、ポリエチレン、ポリエステル、エチレン−酢酸ビニル共重合体、ポリ塩化ビニル、ポリクロロプレン及びポリブタジエンが例示される。圧力分散性、加工性及び価格の観点から、ポリウレタンが好ましく、熱硬化性ポリウレタンが特に好ましい。組成物１８が、ポリマーと共に、可塑剤、軟化剤等を含んでもよい。ゲル状でかつ固体である冷却性組成物１８が好ましい。
【００１５】
媒体を含まない架橋ポリマーからなるゲル状物質が用いられてもよい。このゲル状物質は、それ自体が形状保持性と弾性とを備えている。このゲル状物質は、フィルム２０が破損しても流動しない。このゲル状物質を含む保冷体１４に頭部が載置されているとき、頭部の揺動が少なく、使用者が船酔い状態になりにくい。このゲル状物質では、媒体のブルーミングは生じない。このゲル状物質では、添加剤のブルーミングも生じにくい。本発明において「媒体を含まない状態」とは、媒体によって膨潤させられていない状態を意味する。「媒体を含まない状態」には、少量のオイル等の添加物が添加された状態が含まれる。添加物の量の架橋ポリマーに対する比率は、５０質量％以下が好ましい。
【００１６】
冷却性組成物１８が蓄熱材を含むことが、好ましい。好ましくは、潜熱蓄熱材が用いられる。組成物１８の温度が上昇すると、潜熱蓄熱材が溶融する。この溶融時に、潜熱蓄熱材が熱を吸収する。この吸収により、保冷体１４の昇温が抑制され、保冷効果が持続する。融点が５℃以上３０℃以下の潜熱蓄熱材が好ましい。好ましい潜熱蓄熱材としては、ｎ−テトラデカン（融点５．９℃）、ｎ−ペンタデカン（融点９．９℃）、ｎ−ヘキサデカン（融点１８．２℃）、ｎ−ヘプタデカン（融点２２℃）及びｎ−オクタデカン（融点２８．２℃）のようなパラフィン；カプロン酸トリデシル（融点７℃）、カプロン酸ペンタデシル（融点１６℃）、ラウリン酸メチル（融点５℃）、トリデカン酸メチル（融点２０℃）、ミリスチン酸メチル（融点１９℃）、ミリスチン酸エチル（融点１２℃）、ペンタデカン酸メチル（融点１９℃）、ペンタデカン酸エチル（融点１４℃）、パルミチン酸ブチル（融点１８℃）及びパルミチン酸アミル（融点１９℃）のような脂肪族飽和モノカルボン酸エステル；コハク酸ジメチル（融点１９℃）、アジピン酸ジメチル（融点９℃）、１，９−ノナンジカルボン酸ジメチル（融点２０℃）、１，９−ノナンジカルボン酸ジエチル（融点１６℃）、１，１０−デカンジカルボン酸ジエチル（融点１６℃）及び１，１１−ウンデカンジカルボン酸ジエチル（融点２０℃）のような脂肪族飽和ジカルボン酸エステル；並びに１−デカノール（融点７℃）、１−ウンデカノール（融点１６℃）及び２，３−ジブロモ−１−ペンタノール（融点１３℃）のようなアルコールが挙げられる。微小なカプセルに収容された蓄熱材が、組成物１８に配合されてもよい。
【００１７】
フィルム２０の材質は、特には制限されない。ある程度の外力に対しても破損せず、ゲル状物質が染み出さず、ゲル状物質によっても変質しないフィルム２０が好ましい。ゲル状物質が二液硬化型のポリウレタン、シリコーンゴム等である場合、これらの原材料を透過させないフィルム２０が好ましい。フィルム２０の材質としては、ポリウレタン、ポリエチレン、ポリプロピレン、ポリエステル、ポリエチレンテレフタレート、ポリブチレンテレフタレート、ポリアミド、ポリ塩化ビニル、ポリ塩化ビニリデン等の合成樹脂が例示される。複合フィルム又は積層フィルムが用いられてもよい。表面にアルミニウム等が蒸着されたフィルムも用いられうる。機械的特性、柔軟性、伸縮性及び耐久性の観点から、ポリウレタンからなるフィルム２０が好ましい。ゲル状物質として熱硬化性ポリウレタンが使用され、フィルム２０にもポリウレタンが使用されれば、両者が堅固に接着されうる。
【００１８】
フィルム２０の厚みは、０．０１ｍｍ以上１．０ｍｍ以下が好ましい。厚みが０．０１ｍｍ以上であるフィルム２０は、破損しにくい。このフィルム２０が用いられた保冷体１４は、耐久性に優れる。この観点から、厚みは０．０２ｍｍ以上がより好ましく、０．０４ｍｍ以上が特に好ましい。厚みが１．０ｍｍ以下であるフィルム２０は、可撓性に優れる。このフィルム２０は、フィット感に寄与する。この観点から、厚みは０．５ｍｍ以下がより好ましく、０．３ｍｍ以下が特に好ましい。特に好ましいフィルム２０は、０．０８ｍｍ以上０．１５ｍｍ以下の厚みを有する。
【００１９】
フィルム２０の引張強さは、４５ＭＰａ以上１１０ＭＰａ以下が好ましい。引張強さが４５ＭＰａ以上であるフィルム２０を備えた保冷体１４は、耐久性に優れる。引張強さが１１０ＭＰａ以下であるフィルム２０は、フィット感に寄与する。引張強さは、「ＪＩＳ  Ｋ  ７１８１」の規定に準拠して測定される。
【００２０】
フィルム２０の破断伸びは１００％以上８００％以下が好ましい。破断伸び１００％以上であるフィルム２０は、フィット感に寄与する。破断伸びが８００％以下であるフィルム２０を備えた保冷体１４は、耐久性に優れる。破断伸びは、「ＪＩＳ  Ｋ  ７１８１」の規定に準拠して測定される。
【００２１】
フィルム２０の引裂強さは、１００Ｎ／ｍｍ以上２００Ｎ／ｍｍ以下が好ましい。引裂強さが１００Ｎ／ｍｍ以上であるフィルム２０を備えた保冷体１４は、耐久性に優れる。引裂強さが２００Ｎ／ｍｍ以下であるフィルム２０は、フィット感に寄与する。引裂強さは、「ＪＩＳ  Ｋ  ７１２８−３」の規定に準拠して測定される。
【００２２】
２０℃の温度化における保冷体１４のばね定数は、０．１Ｎ／ｍｍ以上０．７Ｎ／ｍｍ以下が好ましい。ばね定数が０．１Ｎ／ｍｍ以上である保冷体１４は、頭部の安定性に寄与する。この観点から、ばね定数は０．２Ｎ／ｍｍ以上がより好ましく、０．３Ｎ／ｍｍ以上が特に好ましい。ばね定数が０．７Ｎ／ｍｍ以下である保冷体１４は、フィット感に優れる。この観点から、ばね定数は０．６Ｎ／ｍｍ以下がより好ましく、０．５Ｎ／ｍｍ以下が特に好ましい。
【００２３】
２０℃の温度化における保冷体１４のヒステリシスロスは、２０％以上５０％以下が好ましい。ヒステリシスロスが２０％以上である保冷体１４は、フィット感に優れる。ヒステリシスロスが５０％以下である保冷体１４は、頭部の安定性に寄与する。この観点から、ヒステリシスロスは３０％以下がより好ましい。
【００２４】
保冷体１４の質量は、２５０ｇ以上１５００ｇ以下が好ましい。質量が２５０ｇ以上である保冷体１４では、長時間にわたって冷却効果が発揮される。質量が１５００ｇ以下である保冷体１４は、持ち運びが容易である。質量が１５００ｇ以下である保冷体１４は、冷蔵庫等において、短時間で均一に冷却されうる。
【００２５】
保冷体１４の製造では、人の首筋及び後頭部の形状に沿うように作られた成形型が準備される。この形成型の表面がフィルム２０で覆われる。フィルム２０は、エア吸引等によって成形型に密着される。このフィルム２０の上に、冷却性組成物１８が充填される。この冷却性組成物１８の上に、他のウレタン組成物が充填される。所定温度下で所定時間加熱されることにより、ウレタン組成物が硬化する。一般的な加熱温度は、５０℃以上１５０℃以下である。一般的な加熱時間は、１分から１２０分である。ウレタン組成物の硬化により、ベース２１が形成される。ベース２１は、フィルム２０と一体化する。フィルム２０及びベース２１により、冷却性組成物１８が囲まれる。
【００２６】
ベース２１の厚みは、２ｍｍ以上１５ｍｍ以下が好ましい。厚みが２ｍｍ以上であるベース２１を備えた保冷体１４は、耐久性及び形状保持性に優れる。この観点から、厚みは３ｍｍ以上が好ましく、５ｍｍ以上がより好ましい。厚みが１５ｍｍ以下であるベース２１を備えた保冷体１４は、フィット感に優れる。この観点から、厚みは１２ｍｍ以下がより好ましく、１０ｍｍ以下が特に好ましい
【００２７】
図４において、符号ＣＬで示されているのは、前後方向の中心を通過する線である。この枕１０は、前凸部２２及び後凸部２４からなる。前凸部２２は中心線ＣＬよりも前にあり、前端Ｆｅを含んでいる。後凸部２４は中心線ＣＬよりも後にあり、後端Ｂｅを含んでいる。図４から明らかなように、前凸部２２の輪郭形状は、後凸部２４の輪郭形状と、中心線ＣＬに対して対称である。前凸部２２の湾曲は、使用者の頸部及び後頭部の湾曲に沿うように設定されている。後凸部２４の湾曲も、使用者の頸部及び後頭部の湾曲に沿うように設定されている。前凸部２２及び後凸部２４は、いずれも幅方向に延在している。図４において、両矢印Ｈｆで示されているのは前凸部２２の高さであり、両矢印Ｈｂで示されているのは後凸部２４の高さである。この実施形態では、高さＨｆは高さＨｂと実質的に同一である。本発明において凸部２２、２４とは、上面の最下点Ｐよりも上方に突出しており、かつ最下点Ｐよりも３ｍｍ以上高い高さＨｆ、Ｈｂを有する部位を意味する。
【００２８】
保冷体１４は、中心線ＣＬを跨いでいる。換言すれば、保冷体１４は前凸部２２と後凸部２４との両方に存在している。図４において、両矢印Ｌｆで示されているのは前凸部２２における保冷体１４の長さであり、矢印Ｌｂで示されているのは後凸部２４における保冷体１４の長さである。長さＬｆは、長さＬｂよりも大きい。換言すれば、保冷体１４は前側に偏在している。
【００２９】
図６は、図１の枕１０の使用状態が示された断面図である。図６では、使用者８の頸部が、前端Ｆｅの近傍に当接している。前凸部２２は、使用者８の頸部及び後頭部に沿っている。この沿いにより、使用者８はフィット感を得ることができる。保冷体１４は、頸部及び後頭部を直接に冷却する。保冷体１４はまた、使用者８の肩も直接に冷却する。
【００３０】
図７は、図１の枕１０の他の使用状態が示された断面図である。図７では、使用者８の頸部が、後端Ｂｅの近傍に当接している。後凸部２４は、使用者８の頸部及び後頭部に沿っている。この沿いにより、使用者８はフィット感を得ることができる。保冷体１４は、後頭部を直接に冷却する。保冷体１４は、肩及び頸部を直接には冷却しない。
【００３１】
図６に示された状態では、保冷体１４による冷却効果は大きい。大きな冷却効果を望む使用者８は、図６に示されたように枕１０を配置して眠る。図７に示された状態では、保冷体１４による冷却効果は小さい。小さな冷却効果を望む使用者８は、図７に示されたように枕１０を配置して眠る。肩及び頸部の直接的な冷却に不快感をいだく使用者８も、図７に示されたように枕１０を配置して眠る。肩及び頸部の冷却によって身体に悪影響を受けるおそれのある使用者８も、図７に示されたように枕１０を配置して眠る。この枕１０では、向きの変更により冷却効果の調整がなされうる。図６に示された向きのみならず、図７に示された向きでも、使用者８はフィット感を得ることができる。
【００３２】
図４において両矢印Ｌで示されているのは、枕１０の前後方向長さである。長さＬに対する長さＬｆの比率は、３０％以上が好ましい。比率が３０％以上である枕１０では、図６に示された向きで使用されたときの冷却効果が大きい。この観点から、この比率は４０％以上がより好ましく、４５％以上が特に好ましい。比率は５０％以下である。
【００３３】
長さＬに対する長さＬｂの比率は、１０％以上３０％以下が好ましい。この比率が１０％以上である枕１０では、図７に示された向きで使用されたときに、後頭部が十分に冷却される。この観点から、この比率は１５％以上がより好ましい。この比率が３０％以下である枕１０では、図７に示された向きで使用されたときに、頸部及び肩の過剰な冷却が生じない。この観点から、この比率は２５％以下が好ましい。
【００３４】
冷却効果の調整の観点から、長さＬｆに対する長さＬｂの比率は０％以上７０％以下が好ましく、２０％以上７０％以下がより好ましく、３０％以上６０％以下が特に好ましい。
【００３５】
図８は本発明の他の実施形態に係る枕２６が示された正面図であり、図９は図８のIX−IX線に沿った断面図であり、図１０は図８のＸ−Ｘ線に沿った断面図であり、図１１は図８のXI−XI線に沿った断面図である。図９のXI−XI線は、幅方向中心を通過している。この枕２６は、本体２８と保冷体３０とを備えている。本体２８は、幅方向中心に、窪み３２を備えている。この窪み３２に、保冷体３０が嵌め込まれている。
【００３６】
図１０には、本体２８が示されている。図１０において、符号ＣＬで示されているのは前後方向の中心を通過する線である。この枕２６は、前凸部３４及び後凸部３６からなる。前凸部３４は中心線ＣＬよりも前にあり、前端Ｆｅを含んでいる。後凸部３６は中心線ＣＬよりも後にあり、後端Ｂｅを含んでいる。図１０から明らかなように、本体２８に関しては、前凸部３４の輪郭形状は、後凸部３６の輪郭形状と、中心線ＣＬに対して対称である。本体２８の形状及び材質は、図１から４に示された本体１２のそれらと同一である。
【００３７】
保冷体３０は、図５に示された保冷体１４と同様、冷却性組成物、フィルム及びベースからなる。フィルム及びベースからなる袋に、組成物が封入されている。冷却性組成物の材質は、図５に示された冷却性組成物１８の材質と同一である。フィルムの材質は、図５に示されたフィルム２０の材質と同一である。ベースの材質は、図５に示されたベース２１の材質と同一である。
【００３８】
図１１に示されるように、保冷体３０は中心線ＣＬを跨いでいる。換言すれば、保冷体３０は前凸部３４と後凸部３６との両方に存在している。図１１において、両矢印Ｌｆで示されているのは前凸部３４における保冷体３０の長さであり、矢印Ｌｂで示されているのは後凸部３６における保冷体３０の長さである。長さＬｆは、長さＬｂよりも大きい。換言すれば、保冷体３０は前側に偏在している。
【００３９】
使用者の頸部が前端Ｆｅの近傍に当接するとき、前凸部３４が使用者の頸部及び後頭部に沿う。この沿いにより、使用者はフィット感を得ることができる。保冷体３０は、頸部及び後頭部を直接に冷却する。保冷体３０はまた、使用者の肩も直接に冷却する。使用者の頸部が後端Ｂｅの近傍に当接するとき、後凸部３６が使用者の頸部及び後頭部に沿う。この沿いにより、使用者はフィット感を得ることができる。保冷体３０は、後頭部を直接に冷却する。保冷体３０は、肩及び頸部を直接には冷却しない。この枕２６では、使用者の頸部が前端Ｆｅの近傍に当接するとき、大きな冷却効果が得られる。この枕２６では、使用者の頸部が後端Ｂｅの近傍に当接するとき、過剰な冷却が生じない。
【００４０】
図９及び図１１から明らかなように、保冷体３０の上面３８は、下方に向かって湾曲している。この湾曲は、頸部に対するフィット感を高める。この湾曲に起因して、図１１における前凸部３４の高さＨｆは、後凸部３６の高さＨｂよりも小さい。図１１では、前凸部３４の輪郭形状は、後凸部３６の輪郭形状とは厳密には対称でない。
【００４１】
前述の通り、前凸部３４の高さＨｆは後凸部３６の高さＨｂより小さい。しかし、高さＨｆは使用者の頸部及び後頭部の湾曲に沿うのに十分な大きさである。本発明では、前凸部３４の輪郭形状が明確な凸であり、かつ差（Ｈｂ−Ｈｆ）の絶対値が１５ｍｍ以下である場合、「前凸部３４の輪郭形状が後凸部３６の輪郭形状と実質的に対称である」と称される。差（Ｈｂ−Ｈｆ）の絶対値は１２ｍｍ以下がより好ましい。頸部のフィット感の観点から、差（Ｈｂ−Ｈｆ）は５ｍｍ以上が好ましい。
【００４２】
本体２８は気泡を含むポリマー成形体なので、荷重が負荷されたときの本体２８の変形量は、大きい。一方、荷重が負荷されたときの保冷体３０の変形量は、小さい。この枕２６では、保冷体３０が前側に偏在しているので、前凸部３４の圧縮変形量は小さく、後凸部３６の圧縮変形量は大きい。高さＨｆは高さＨｂより小さいので、使用者が前凸部３４に頭部を載せたときの前凸部３４の実効高さは、使用者が後凸部３６に頭部を載せたときの後凸部３６の実効高さとほぼ同じである。
【００４３】
枕２６の前後方向長さＬに対する長さＬｆの比率は、３０％以上が好ましい。比率が３０％以上である枕２６では、使用者の頸部が前端Ｆｅの近傍に当接するときの冷却効果が大きい。この観点から、この比率は４０％以上がより好ましく、４５％以上が特に好ましい。比率は５０％以下である。
【００４４】
長さＬに対する長さＬｂの比率は、１０％以上３０％以下が好ましい。この比率が１０％以上である枕２６では、使用者の頸部が後端Ｂｅの近傍に当接するときに、後頭部が十分に冷却される。この観点から、この比率は１５％以上がより好ましい。この比率が３０％以下である枕２６では、使用者の頸部が後端Ｂｅの近傍に当接するときに、頸部及び肩の過剰な冷却が生じない。この観点から、この比率は２５％以下が好ましい。
【００４５】
冷却効果の調整の観点から、長さＬｆに対する長さＬｂの比率は０％以上７０％以下が好ましく、２０％以上７０％以下がより好ましく、３０％以上６０％以下が特に好ましい。
【実施例】
【００４６】
以下、実施例によって本発明の効果が明らかにされるが、この実施例の記載に基づいて本発明が限定的に解釈されるべきではない。
【００４７】
［実施例］
本体と保冷体とを備えた枕を製作した。この枕の形状は、図９から１１に示されている。保冷体の形状は、図１２に示されている。本体は、ウレタンフォームからなる。保冷体は、冷却性組成物、フィルム及びベースからなる。冷却性組成物は、媒体を含まないゲル状ポリウレタンと潜熱蓄熱材とを含む。この枕は、５２０ｍｍの幅、２９４ｍの長さＬ、１３７ｍｍの長さＬｆ、６３ｍｍの長さＬｂ、６０ｍｍの高さＨｂ及び５１ｍｍの高さＨｆを有する。この枕は、前凸部及び後凸部を備えている。前凸部の輪郭形状は、後凸部の輪郭形状と、実質的に対称である。
【００４８】
［比較例］
後凸部を有さない本体を用いた他は実施例と同様にして、比較例の枕を得た。この枕の形状が、図１２及び１３に示されている。
【００４９】
［実験１］
冷たさを好む着用者に、実施例及び比較例の枕を使用させた。頸部に前端が当接するように、枕の向きをセットした。この着用者に、温度の適否、フィット感及び寝付きについて評価させた。この結果が、下記の表１に示されている。
【００５０】
【表１】
2008073306.tif 000003
【００５１】
［実験２］
冷たさを好まない着用者に、実施例及び比較例の枕を使用させた。枕の向きを、下記表２に示されるようにセットした。この着用者に、温度の適否、フィット感及び寝付きについて評価させた。この結果が、下記の表２に示されている。
【００５２】
【表２】
2008073306.tif 000004
【００５３】
表１及び２に示されるように、実施例の枕はすべての評価項目において優れている。この評価結果から、本発明の優位性は明らかである。
【産業上の利用可能性】
【００５４】
本発明に係る枕は、使用者の発熱時にも用いられうる。この枕は、炎症箇所の冷却にも適している。この枕は、スポーツ後のクーリングダウンにも適している。
【図面の簡単な説明】
【００５５】
【図１】図１は、本発明の一実施形態に係る枕が示された斜視図である。
【図２】図２は、図１の枕が示された正面図である。
【図３】図３は、図２のIII−III線に沿った断面図である。
【図４】図４は、図２のIV−IV線に沿った断面図である。
【図５】図５は、図１の枕の保冷体が示された拡大断面図である。
【図６】図６は、図１の枕の使用状態が示された断面図である。
【図７】図７は、図１の枕の他の使用状態が示された断面図である。
【図８】図８は、本発明の他の実施形態に係る枕が示された正面図である。
【図９】図９は、図８のIX−IX線に沿った断面図である。
【図１０】図１０は、図８のＸ−Ｘ線に沿った断面図である。
【図１１】図１１は、図８のXI−XI線に沿った断面図である。
【図１２】図１２は、従来の枕が示された断面図である。
【図１３】図１３は、図１２の枕が示された断面図である。
【符号の説明】
【００５６】
１０、２６・・・枕
１２、２８・・・本体
１４、３０・・・保冷体
１６、３２・・・窪み
１８・・・冷却性組成物
２０・・・フィルム
２１・・・ベース
２２、３４・・・前凸部
２４、３６・・・後凸部
【図１】
2008073306.tif 000005
【図２】
2008073306.tif 000006
【図３】
2008073306.tif 000007
【図４】
2008073306.tif 000008
【図５】
2008073306.tif 000009
【図６】
2008073306.tif 000010
【図７】
2008073306.tif 000011
【図８】
2008073306.tif 000012
【図９】
2008073306.tif 000013
【図１０】
2008073306.tif 000014
【図１１】
2008073306.tif 000015
【図１２】
2008073306.tif 000016
【図１３】
2008073306.tif 000017